(57)【要約】      （修正有）【課題】簡易な構成によって長寿命化を図ることが可能なレーザー装置を提供する。【解決手段】複数のレーザー光源部３１と、前記複数のレーザー光源部３１を保持する保持部材３２と、前記保持部材３２を駆動する駆動部と、前記複数のレーザ光源部３１のうち任意のレーザー光源部３１を所定の位置に移動させるよう前記駆動部を制御する駆動制御部３９と、前記所定の位置に移動された前記レーザー光源部３１を発光させる光源制御部４５と、を備えるレーザー装置である。【選択図】図６
2015225992.tif 000002
【特許請求の範囲】
【請求項１】
複数のレーザー光源部と、
前記複数のレーザー光源部を保持する保持部材と、
前記保持部材を駆動する駆動部と、
前記複数のレーザ光源部のうち任意のレーザー光源部を所定の位置に移動させるよう前記駆動部を制御する駆動制御部と、
前記所定の位置に移動された前記レーザー光源部を発光させる光源制御部と、
を備えるレーザー装置。
【請求項２】
前記所定の位置に移動された前記レーザー光源部から出射されるレーザー光を開口部によって制限して通過させる開口制限部を更に備え、
前記出射されるレーザー光のビーム形状の長手方向を前記保持部材の駆動方向としていることを特徴とする請求項１に記載のレーザー光源。
【請求項３】
前記駆動制御部は、前記所定の位置に配される前記レーザー光源部と隣り合わない前記レーザー光源部を前記所定の位置へ移動させるよう前記駆動部を制御することを特徴とする請求項１又は請求項２に記載のレーザー装置。
【請求項４】
前記複数のレーザー光源部の個数は５つ以上であって、前記駆動部は前記保持部材を回転駆動することを特徴とする請求項３に記載のレーザー装置。
【請求項５】
前記複数のレーザー光源部の個数は、奇数であることを特徴とする請求項４に記載のレーザー装置。
【請求項６】
前記光源制御部は、前記レーザ光源部に含まれるレーザーダイオードの発光パワーを一定とするよう駆動電流を前記レーザーダイオードに供給し、
前記駆動制御部は、前記レーザーダイオードの温度に関連するパラメータが所定値となったときに、前記所定の位置に配される前記レーザー光源部を別の前記レーザー光源部に切替えることを特徴とする請求項１〜請求項５のいずれか１項に記載のレーザー装置。
【請求項７】
前記レーザー光源部は、レーザーダイオードと、前記レーザーダイオードに駆動電流を供給するための中継基板と、を含んでおり、
前記中継基板は、前記レーザー光源部が前記所定の位置に移動された際に、前記光源制御部に接続された端子と接触される端子部を備えていることを特徴とする請求項１〜請求項６のいずれか１項に記載のレーザー装置。
【請求項８】
画像光を発光する画像光発光部と、前記画像光発光部による画像光を空間に光学像として結像させる結像部と、前記所定の位置に移動された前記レーザー光源部から出射されるレーザー光を前記光学像に対して走査する走査部と、前記光学像付近に位置する障害物によって反射されたレーザー光を受光する光検出部と、を更に備えることを特徴とする請求項１〜請求項７のいずれか１項に記載のレーザー装置。
【発明の詳細な説明】
【技術分野】
【０００１】
本発明は、レーザー装置に関する。
【背景技術】
【０００２】
従来、レーザー光源を備えたレーザー装置が知られている。
【０００３】
例えば、特許文献１には、第１の光源部と、第２の光源部と、第１の光源部及び第２の光源部を制御する光源制御部を備える照明装置が開示されている。この照明装置は、更に、第１の光源部及び第２の光源部から射出された照明光を共通の射出端面に導く共通の導光部を備え、当該導光部の光路中に当該光路中に交差するように開口部が設けられる。
【０００４】
そして、上記開口部に光反射領域と光透過領域とを交互に配置可能な光路変更ホイールが設けられ、上記光源制御部は、上記開口部に配置されている上記光反射領域と上記光透過領域の占有状態に基づいて、射出端面までの光路が確保されている第１の光源部又は第２の光源部を点灯させる。
【先行技術文献】
【特許文献】
【０００５】
【特許文献１】特開２００８−４０４１４号公報
【発明の概要】
【発明が解決しようとする課題】
【０００６】
上記特許文献１の照明装置によれば、第１の光源部と第２の光源部を切替えながら使用するので、照明装置としての寿命を長くすることは可能である。しかしながら、複雑な構造である導光部や光路変更ホイールが必要であるといった問題点がある。
【０００７】
そこで、本発明は、簡易な構成によって長寿命化を図ることが可能となるレーザー装置を提供することを目的とする。
【課題を解決するための手段】
【０００８】
上記目的を達成するために本発明のレーザー装置は、
複数のレーザー光源部と、
前記複数のレーザー光源部を保持する保持部材と、
前記保持部材を駆動する駆動部と、
前記複数のレーザ光源部のうち任意のレーザー光源部を所定の位置に移動させるよう前記駆動部を制御する駆動制御部と、
前記所定の位置に移動された前記レーザー光源部を発光させる光源制御部と、
を備える構成としている。
【０００９】
このような構成によれば、簡易な構成によって複数のレーザー光源部を切替えつつ発光させることで、レーザー装置の寿命を長くすることが可能となる。
【００１０】
また、上記構成において、前記所定の位置に移動された前記レーザー光源部から出射されるレーザー光を開口部によって制限して通過させる開口制限部を更に備え、
前記出射されるレーザー光のビーム形状の長手方向を前記保持部材の駆動方向としていることとしてもよい。
【００１１】
このような構成によれば、保持部材が駆動されて上記所定の位置にレーザー光源部が配置された際に、その静止位置にずれが生じた場合でも、開口制限部による制限後のレーザー光の光量が低下することを抑制できる。
【００１２】
また、上記いずれかの構成において、前記駆動制御部は、前記所定の位置に配される前記レーザー光源部と隣り合わない前記レーザー光源部を前記所定の位置へ移動させるよう前記駆動部を制御することとしてもよい。
【００１３】
このような構成によれば、先に所定の位置において発光していたレーザー光源部による熱の影響を受けることを抑制できる。
【００１４】
また、上記構成において、前記複数のレーザー光源部の個数は５つ以上であって、前記駆動部は前記保持部材を回転駆動することとしてもよい。
【００１５】
このような構成によれば、一方向への保持部材の回転駆動によって、隣り合わないレーザー光源部への切替えを連続的に行え、且つ全てのレーザー光源部を網羅できる。
【００１６】
また、上記構成において、前記複数のレーザー光源部の個数は、奇数であることとしてもよい。
【００１７】
このような構成によれば、一方向へ同一の角度ずつ保持部材を回転駆動することにより、隣り合わないレーザー光源部への切替えを連続的に行え、且つ全てのレーザー光源部を網羅できる。
【００１８】
また、上記いずれかの構成において、前記光源制御部は、前記レーザ光源部に含まれるレーザーダイオードの発光パワーを一定とするよう駆動電流を前記レーザーダイオードに供給し、
前記駆動制御部は、前記レーザーダイオードの温度に関連するパラメータが所定値となったときに、前記所定の位置に配される前記レーザー光源部を別の前記レーザー光源部に切替えることとしてもよい。
【００１９】
このような構成によれば、複数の各レーザー光源部に含まれる各レーザーダイオードの寿命を長くすることが可能となる。
【００２０】
また、上記いずれかの構成において、前記レーザー光源部は、レーザーダイオードと、前記レーザーダイオードに駆動電流を供給するための中継基板と、を含んでおり、
前記中継基板は、前記レーザー光源部が前記所定の位置に移動された際に、前記光源制御部に接続された端子と接触される端子部を備えていることとしてもよい。
【００２１】
このような構成によれば、複数のレーザー光源部を駆動するのに光源制御部が一つで済む。
【００２２】
また、上記いずれかの構成において、画像光を発光する画像光発光部と、前記画像光発光部による画像光を空間に光学像として結像させる結像部と、前記所定の位置に移動された前記レーザー光源部から出射されるレーザー光を前記光学像に対して走査する走査部と、前記光学像付近に位置する障害物によって反射されたレーザー光を受光する光検出部と、を更に備えることとしてもよい。
【００２３】
このような構成によれば、ユーザが空間に結像された光学像において操作入力することが可能な仮想的入力インタフェース装置を長寿命化することができる。また、レーザー光源部等を交換する必要が無いので、レーザー光源部の交換の際に光学像に対するレーザー光の照射位置を調整するためのメンテナンス費用が発生しない。また、レーザー光源部と共に、本来交換の必要ない走査部まで交換するために無駄なコストが発生するといったことも生じない。
【発明の効果】
【００２４】
本発明のレーザー装置によると、簡易な構成によって長寿命化を図ることが可能となる。
【図面の簡単な説明】
【００２５】
【図１】本発明の第１実施形態に係る仮想的入力インタフェース装置の概略構成（側面図）を示す図である。
【図２】本発明の第１実施形態に係る反射素子集合基板による画像の結像を示す斜視図である。
【図３】本発明の第１実施形態に係る反射素子集合基板の一部概略平面図である。
【図４】本発明の第１実施形態に係る反射素子集合基板の一部概略斜視図である。
【図５】図３におけるＡ−Ａ線断面を示す断面図である。
【図６】本発明の第１実施形態に係るプロジェクタユニットの構成図である。
【図７】本発明の第１実施形態に係る光源保持部材を裏面から視たところの構成を示す平面図である。
【図８】本発明の第１実施形態に係るアパーチャーの上面図である。
【図９】本発明の第２実施形態に係るプロジェクタユニットにおける光源保持部材の側面断面を含む構成を示す図である。
【図１０】本発明の第２実施形態に係るプロジェクタユニットにおける光源保持部材を裏面から視たところの構成を示す図である。
【図１１】本発明の第２実施形態に係るアパーチャーの上面図である。
【図１２】本発明の第３実施形態に係るプロジェクタユニットにおける光源保持部材を裏面から視たところの構成を示す図である。
【発明を実施するための形態】
【００２６】
＜第１実施形態＞
以下に本発明の一実施形態について図面を参照して説明する。本発明の第１実施形態に係る仮想的入力インタフェース装置の概略構成（側面図）を図１に示す。
【００２７】
図１に示す仮想的入力インタフェース装置１０（レーザー装置の一例）は、２面コーナーリフレクタアレイ基板（反射素子集合基板）１と、液晶表示部２と、プロジェクタユニット３と、光検出器４を備えている。
【００２８】
図２に概略斜視図を示すように、２面コーナーリフレクタアレイ基板１（結像部の一例）は、液晶表示部２（画像光発光部の一例）により表示された画像の光学像Ｓを空中に結像させて、それを観察者が見ることができるようにするものである。２面コーナーリフレクタアレイ基板１の構成を具体的に図３〜図５を用いて説明する。
【００２９】
２面コーナーリフレクタアレイ基板１の一部概略平面図を図３に示す。また、２面コーナーリフレクタアレイ基板１の一部概略斜視図を図４に示す。
【００３０】
２面コーナーリフレクタアレイ基板１は、基板１Ａに対して、基板１Ａの主面を垂直方向に貫通する正方形状の貫通孔１Ｂが平面視で千鳥状に配置されて形成される構成となっている。貫通孔１Ｂの平らな内壁面のうち直交する２つに、それぞれ鏡面Ｍ１及びＭ２を２面コーナーリフレクタとして形成している。
【００３１】
図３におけるＡ−Ａ線断面を図５に示す。図５に示すように、基板１Ａの一方の主面Ｆ２側にある空間内に配された点光源ｏから出射された光線は、２面コーナーリフレクタ（鏡面Ｍ１及びＭ２）にて２回反射して、屈曲しつつ基板１Ａを透過する。点光源ｏから出射されて異なる２面コーナーリフレクタに向かうそれぞれの光線は、２面コーナーリフレクタにて２回反射された後、点光源ｏが配された側の基板１Ａの主面Ｆ２と反対側の主面Ｆ１側の空間において１点の光学像ｐに結像される。
【００３２】
画像の光を面発光する液晶表示部２は点光源の集合であると捉えることができる。従って、基板１Ａの一方の主面Ｆ２側にある空間（図２における主面Ｆ２の下方の空間）に配された液晶表示部２により面発光された画像光の光線は、２面コーナーリフレクタでの反射により、他方の主面Ｆ１側の空間（図２における主面Ｆ１の上方の空間）において液晶表示部２と対称な位置に光学像Ｓとして結像される。これにより、観察者であるユーザは、空中に画像が表示されている感覚を得ることができる。
【００３３】
そして、空中に結像された光学像Ｓに対して、プロジェクタユニット３から２次元的に走査された赤外レーザー光が照射される。光学像Ｓの観察者であるユーザが操作物（指など）を光学像Ｓに近付けると、赤外レーザー光が操作物で反射して光検出器４によって受光される。光検出器４によって赤外レーザー光が検出されたタイミングでの赤外レーザー光の走査位置に基づき、光学像Ｓにおける操作物によって操作された位置が判断できるので、当該操作された位置に応じた制御を行うことができる。即ち、仮想的な入力インタフェースとしての機能が実現される。
【００３４】
次に、プロジェクタユニット３の構成について図６〜図８を用いて詳細に説明する。プロジェクタユニット３の光学系を含めた全体構成図を図６に示す。
【００３５】
図６に示すようにプロジェクタユニット３は、複数のレーザー光源部３１、レーザー光源部３１を保持する光源保持部材３２、回転軸３３、軸受３４Ａ、３４Ｂ、第１ギア３５、第２ギア３６、モーター３７、回転角度検知部３８、及び駆動制御部３９を備えている。なお、図６は、光源保持部材３２の側面断面を示している。
【００３６】
光源保持部材３２を裏面から視た場合の平面図を図７に示す。光源保持部材３２は、外形として円盤形状を持つ金属部材であって、厚み方向に貫通する貫通孔部３２１を５つ備えている。各貫通孔部３２１はその中心位置が、光源保持部材３２の円周方向に７２度ずつ角度をずらしながら位置するように設けられる。即ち、各貫通孔部３２１は、等間隔に配置される。
【００３７】
各貫通孔部３２１に対応してレーザー光源部３１Ａ〜３１Ｅが設けられる。なお、図６では、レーザー光源部３１Ａ〜３１Ｅを符号として３１に統一して図示している。各レーザー光源部３１は、赤外レーザー光を発光する赤外レーザーダイオード（赤外ＬＤ）３１１、赤外ＬＤ３１１に駆動電流を供給するための中継基板３１２、及びコリメータレンズ３１３から構成される。
【００３８】
赤外ＬＤ３１１は中継基板３１２に固定されており、赤外ＬＤ３１１の各電極端子は、中継基板３１２の裏面において配線を介して端子部３１２１、３１２２にそれぞれ電気的接続される（図７）。赤外ＬＤ３１１は裏面側から貫通孔部３２１内に挿入され、中継基板３１２は光源保持部材３２の裏面に固定される。
【００３９】
また、赤外ＬＤ３１１から発光された赤外レーザー光を略平行光に変換するコリメータレンズ３１３は、貫通孔部３２１の表面側に保持される。これにより、各レーザー光源部３１（３１Ａ〜３１Ｅ）は、光源保持部材３２の円周方向に等間隔で配置される。
【００４０】
光源保持部材３２の中心付近の表面側には軸受３４Ａが、裏面側には軸受３４Ｂが設けられる。そして、回転軸３３が軸受３４Ａ、光源保持部材３２の中心部、及び軸受３４Ｂを貫通し、光源保持部材３２に固定される。また、回転軸３３の軸受３４Ｂ側の端部には第１ギア３５が固定される。
【００４１】
第１ギア３５に噛み合う第２ギア３６は、モーター３７の駆動軸に固定される。これにより、モーター３７による駆動力が第２ギア３６、第１ギア３５、及び回転軸３３を介して光源保持部材３２に伝達される。駆動制御部３９は、第１ギア３５の端部に配された回転角度検知部３８からの検知信号に基づきモーター３７を駆動制御することで、光源保持部材３２を目標角度だけ回転駆動させることができる。
【００４２】
ここで、光源保持部材３２の回転駆動によって任意のレーザー光源部３１が所定の位置に配置された場合、そのレーザ光源部３１が有するコリメータレンズ３１３の上方にアパーチャー４０が配される状態となる（図６では、右方のレーザー光源部３１が上記所定の位置に配置されている）。上記所定の位置に配置されたレーザー光源部３１の赤外ＬＤ３１１から出射されコリメータレンズ３１３によって略平行光に変換された赤外レーザー光は、アパーチャー４０に設けられた開口部によって絞られる。
【００４３】
ここで、アパーチャー４０（開口制限部）を上方から視た平面図を図８に示す。図８に示すように、コリメータレンズ３１３を通過した後の赤外レーザー光Ｌ（即ち、レーザー光源部３１が出射する赤外レーザー光）のビーム形状は楕円形をしている。そして、その楕円形の長軸方向を光源保持部材３２の円周方向、つまり駆動方向Ｓ１としている。これにより、光源保持部材３２を回転駆動させてレーザー光源部３１を上記所定の位置に静止させた場合に、第１ギア３５と第２ギア３６のバックラッシュ等によって静止位置にずれが生じた場合でも、アパーチャー４０の開口部４０Ａ（図８）によって絞られた後の赤外レーザー光の光量の減少を抑えることができる。
【００４４】
アパーチャー４０を通過した赤外レーザー光は、ビームスプリッター４１によって一部は反射されて光検出部４２に受光され、一部はビームスプリッター４１を透過して垂直走査ミラー４３へ入射される。光検出部４２は、光源制御部４５による赤外ＬＤ３１１の発光パワー制御に用いられる。
【００４５】
レーザー光を垂直方向に走査するよう偏向可能な垂直走査ミラー４３に入射されて反射された赤外レーザー光は、レーザ光を水平方向に走査するよう偏向可能な水平走査ミラー４４に入射されて反射し、プロジェクタユニット３の筐体外部へ出射される。なお、垂直走査ミラー４３及び水平走査ミラー４４は、例えばＭＥＭＳ（Micro Electro Mechanical Systems）ミラーによって構成される。このような垂直走査ミラー４３及び水平走査ミラー４４の偏向によって赤外レーザー光は２次元的に走査される。
【００４６】
また、光源保持部材３２の回転駆動によって任意のレーザー光源部３１が上記所定の位置に配置される際に、そのレーザー光源部３１の中継基板３１２に形成された端子部３１２１、３１２２（図７）には、光源制御部４５に接続された端子４６Ａ、４６Ｂがそれぞれ接触される。これにより、光源制御部４５は、端子４６Ａ、４６Ｂ及び中継基板３１２を介して赤外ＬＤ３１１に駆動電流を供給することが可能となる。
【００４７】
なお、端子４６Ａ、４６Ｂは、例えばブラシ、板バネ、ピン等として構成され、端子部３１２１、３１２２との接触及びその開放が支障なくできるようにしている。従って、複数のレーザー光源部３１を駆動するのに光源制御部４５を一つだけ設ければよいので、構成を簡易化できる。
【００４８】
また、図６に示した制御装置５は、仮想的入力インタフェース装置１０に備えられ、駆動制御部３９及び光源制御部４５を制御する他、光検出器４（図１）によって赤外レーザー光が検出されたタイミングでの垂直走査ミラー４３及び水平走査ミラー４４の偏向状態に基づき光学像Ｓにおける操作物による操作位置を検出し、対応した制御を行ったりもする。
【００４９】
制御装置５の指令により光源制御部４５は、上位所定の位置に配置された赤外ＬＤ３１１に駆動電流の供給を開始し、赤外ＬＤ３１１の発光を開始させる。発光が開始されると、光源制御部４５は、光検出部４２の検出信号に基づいて赤外ＬＤ３１１の発光パワーが一定となるよう駆動電流を制御する。
【００５０】
赤外ＬＤ３１１が駆動されて発熱すると、温度上昇が生じる。赤外ＬＤ３１１は温度が上昇すると発光パワーが低下するため、光源制御部４５は発光パワーを一定に維持するために駆動電流を増加させる。これにより、温度は徐々に上昇してゆき、例えば約１時間で一定となって飽和する。そこで、制御装置５は、温度が飽和する直前のタイミングで光源制御部４５に対して発光を停止するよう指令し、指令を受けた光源制御部４５は赤外ＬＤ３１１の駆動を停止する。これにより、赤外ＬＤ３１１の寿命を延ばすことが可能となる。
【００５１】
上記温度が飽和する直前のタイミングについては、例えば、制御装置５によって光源制御部４５が発光を開始してからの経過時間を測定し、所定時間が経過するタイミングとしてもよい。または、温度センサーを赤外ＬＤ３１１付近に設けて、制御装置５が温度センサーによる測定温度を監視し、所定温度になったタイミングとしてもよい。なお、温度センサーは、各貫通孔３２１の内部にそれぞれ設けてもよいし、上記所定の位置におけるコリメータレンズ３１３付近の位置に一つだけ設ける等してもよい。または、光源制御部４５によって供給される駆動電流の電流値が所定値となったタイミングとしてもよい。
【００５２】
制御装置５は、光源制御部４５に発光停止を指令した際に、駆動制御部３９に対してレーザー光源部３１を切替えるよう指令する。ここで、レーザー光源部３１の切替えについては、例えば、上記所定の位置に現在配置されるレーザー光源部３１の２つ隣のレーザー光源部３１を上記所定の位置に移動させることが望ましい。この場合は、駆動制御部３９は、目標回転角度を１４４度（＝７２度×２）として回転角度検知部３８の検知信号に基づき、モーター３７を駆動し、光源保持部材３２を回転駆動させる。レーザー光源部３１が切替えられた後、制御装置５は、光源制御部４５に赤外ＬＤ３１１の発光開始を指令し、光源制御部４５によって発光が開始される。これによれば、隣り合わない先に点灯していたレーザー光源部３１による熱の影響を抑えることができる。
【００５３】
また、レーザー光源部は３１Ａ→３１Ｃ→３１Ｅ→３１Ｂ→３１Ｄ→３１Ａと切替えられることとなり、１４４度ずつ同じ角度で同じ方向に光源保持部材３２を回転駆動させることで全てのレーザー光源部３１を網羅することが可能であり、回転駆動制御が簡易となる。なお、このような効果は、レーザー光源部が５つ以上の奇数である場合に有効となる。また、５つ以上の偶数である場合は、同じ角度ずつによる回転駆動とはならないが、隣り合わないレーザー光源部に切替えながら全て網羅することは可能である。
【００５４】
このように、本実施形態によれば、複数のレーザー光源部３１のうち任意のレーザー光源部３１を上記所定の位置に順次移動させつつ発光制御を行うので、プロジェクタユニット３、ひいては仮想的入力インタフェース装置１０としての寿命を長くすることが簡易な構成ながら可能となる。
【００５５】
仮に、レーザーダイオードを１つだけ備えることでプロジェクタユニットの寿命が短く、プロジェクタユニットを交換するような場合は、空間に結像される光学像Ｓに対する赤外レーザー光の照射位置がずれるため、調整を行う必要があり、メンテナンス費用が高くなる。また、交換の必要のない走査ミラー等の光学系の交換も必要となるので、無駄なコストが発生する。本実施形態であれば、このような問題点が解決される。
【００５６】
＜第２実施形態＞
次に、本発明の第２実施形態について説明する。本実施形態は、上記第１実施形態におけるプロジェクタユニット３の変形例であり、図９及び図１０を用いて説明する。
【００５７】
図９は、光源保持部材３２’の側面断面を含むプロジェクタユニット３’の構成図であり、図１０は、光源保持部材３２’を裏面から視たところの構成を含むプロジェクタユニット３’の構成図である。
【００５８】
プロジェクタユニット３’は、長手方向に等間隔で配列された５つの貫通孔部３２１’を形成された矩形体状の光源保持部材３２’を備える。光源保持部材３２’の長手方向に伸びた一側面には、ラック３２２’が形成されている。
【００５９】
各貫通孔部３２１’に対応して各レーザー光源部３１（図１０では３１Ａ〜３１Ｅ）が設けられる。赤外ＬＤ３１１が固定された中継基板３１２は、光源保持部材３２１’の裏面側に固定され、赤外ＬＤ３１１は貫通孔部３２１’内に収容される。また、コリメータレンズ３１３は、貫通孔部３２１’の表面側に保持される。これにより、５つのレーザー光源部３１（３１Ａ〜３１Ｅ）は、等間隔で長手方向に配される。
【００６０】
また、ラック３２２’に噛み合うようにギア３５’が設けられる。ギア３５’には、不図示のモーターからの駆動力を伝達できる。ラック３２２’付近には、光源保持部材３２’の長手方向移動量を検知するための移動量検知部３８’が設けられる。不図示の駆動制御部は、移動量検知部３８’の検知信号に基づき上記モーターを駆動制御することで、光源保持部材３２’を目標移動量だけ長手方向に移動させる（直線的な移動駆動）。
【００６１】
光源保持部材３２’の移動によって任意のレーザ光源部３１が所定の位置（図９、図１０では長手方向中央の位置）に配置された状態で、そのレーザ光源部３１のコリメータレンズ３１３の上方にはアパーチャー４０が配置される。赤外ＬＤ３１１の発光した赤外レーザー光が２次元的に走査される構成については第１実施形態と同様である。
【００６２】
また、図１１に示すように、コリメータレンズ３１３を通過後の赤外レーザー光Ｌのビーム形状は楕円形であり、その楕円形の長軸方向は光源保持部材３２’の長手方向、つまり移動方向Ｓ２としている。これにより、光源保持部材３２’の移動によるレーザー光源部３１の静止位置がずれた場合でも、アパーチャー４０の開口部４０Ａを通過後の赤外レーザー光の光量が低下することを抑制できる。
【００６３】
また、光源保持部材３２’の移動によって任意のレーザー光源部３１が上記所定の位置に配置された際に、そのレーザー光源部３１の中継基板３１２裏面に形成された端子部３１２１、３１２２は、光源制御部４５に接続された端子４６Ａ、４６Ｂにそれぞれ接触される。これにより、光源制御部４５から中継基板３１２を介して赤外ＬＤ３１１に駆動電流を供給することができる。これにより、複数のレーザー光源部３１に対して光源制御部４５は一つだけ設ければよい。
【００６４】
光源保持部材３２’の移動によって上記所定の位置に配置されたレーザー光源部３１の温度を考慮した発光停止制御については上述した第１実施形態と同様である。そして、レーザー光源部３１の発光が停止されると、光源保持部材３２’の移動によってレーザー光源部３１が切替えられる。このとき、隣り合わないレーザー光源部３１への切替えが望ましい。例えば、上記所定の位置に配置されるレーザー光源部３１は、図１０において、３１Ａ→３１Ｃ→３１Ｅ→３１Ｂ→３１Ｄ→３１Ａのように切替えられる。
【００６５】
このような本実施形態によっても、簡易な構成ながらもプロジェクタユニット３’の寿命を長くすることが可能となる。
【００６６】
＜第３実施形態＞
次に、本発明の第３実施形態について説明する。本実施形態に係るプロジェクタユニットの概略構成を図１２に示す。図１２は、光源保持部材を裏面側から視たところの構成を含む図である。
【００６７】
図１２に示すプロジェクタユニット３’ ’は、貫通孔部３２１’ ’をマトリクス状に複数形成された光源保持部材３２’ ’を備え、各貫通孔部３２１’ ’に対応してレーザー光源部３１Ａ〜３１Ｆが設けられる。
【００６８】
光源保持部材３２’ ’は、互いに直交するＸ方向及びＹ方向に駆動可能となっている。駆動方法については、公知であるＸＹテーブルの技術を用いればよい。これにより、レーザー光源部３１Ａ〜３１Ｆのうち任意のレーザー光源部を所定の位置（図１２ではレーザー光源部３１Ｂの位置）に移動させることができる。
【００６９】
このような実施形態によっても、複数のレーザー光源部においてレーザー光源部を切替えながら発光制御を行うので、簡易な構成ながらプロジェクタユニット３’ ’の寿命を長くすることが可能となる。
【００７０】
以上、本発明の実施形態について説明したが、本発明の趣旨の範囲内であれば、実施形態は種々の変形が可能である。
【００７１】
例えば、本発明のレーザー装置としては、上記の仮想的入力インタフェース装置に限ることはない。例えば、レーザー光源部が移動によって配置される所定の位置に対応させて、対物レンズや対物レンズを駆動するアクチュエータ等を含んだ光学系を設け、光ディスクにレーザー光を照射させてもよい。即ち、本発明を光ディスク装置に適用することも可能である。
【符号の説明】
【００７２】
１  ２面コーナーリフレクタアレイ基板（反射素子集合基板）
２  液晶表示部
３  プロジェクタユニット
４  光検出器
５  制御装置
１０  仮想的入力インタフェース装置
３１（３１Ａ〜３１Ｆ）  レーザー光源部
３１１  赤外レーザーダイオード
３１２  中継基板
３１２１、３１２２  端子部
３１３  コリメータレンズ
３２  光源保持部材
３２１  貫通孔部
３３  回転軸
３４Ａ、３４Ｂ  軸受
３５  第１ギア
３６  第２ギア
３７  モーター
３８  回転角度検知部
３９  駆動制御部
４０  アパーチャー
４１  ビームスプリッター
４２  光検出部
４３  垂直走査ミラー
４４  水平走査ミラー
４５  光源制御部
４６Ａ、４６Ｂ  端子
【図１】
2015225992.tif 000003
【図２】
2015225992.tif 000004
【図３】
2015225992.tif 000005
【図４】
2015225992.tif 000006
【図５】
2015225992.tif 000007
【図６】
2015225992.tif 000008
【図７】
2015225992.tif 000009
【図８】
2015225992.tif 000010
【図９】
2015225992.tif 000011
【図１０】
2015225992.tif 000012
【図１１】
2015225992.tif 000013
【図１２】
2015225992.tif 000014